(57)【特許請求の範囲】
【請求項１】
投函口を有する箱型の本体部と、
前記本体部に装着される口枠部とを具備し、
前記口枠部は、
前記投函口に連通する開口と、前記開口とは異なる箇所に位置するインターホン設置用の設置スペースと、前記設置スペースに収容され、前記本体部に対して着脱自在に固定される台座とを備え、
前記台座は、
インターホン子機を装着することのできる装着構造と、前記本体部に対して着脱自在に固定される固定構造とを、互いに反対側の面に備え、
前記台座には、庇部が設けられている
ことを特徴とする郵便受け。
【請求項２】
前記台座を介して前記本体部に固定されるインターホン子機の前面が、前記本体部に装着された前記口枠部の前端部と、面一に位置するように構成された
ことを特徴とする請求項１に記載の郵便受け。
【請求項３】
前記台座を介して前記本体部に固定されるインターホン子機は、撮像機能を備える
ことを特徴とする請求項１または２に記載の郵便受け。
【請求項４】
前記口枠部は、
前記開口および前記設置スペースとは異なる箇所に位置する照明スペースと、前記照明スペースに設置される照明ユニットとを、さらに備え、
前記庇部は、前記照明スペースと前記設置スペースの間に設置される
ことを特徴とする請求項３に記載の郵便受け。
【発明の詳細な説明】
【技術分野】
【０００１】
本発明は、郵便受けに関し、詳しくは、本体部とこれに装着される口枠部とを具備した郵便受けに関する。
【背景技術】
【０００２】
特許文献１には、門柱に取り付けられた郵便受箱が記載されている。この郵便受箱は、角箱状の郵便受箱本体と、郵便受箱本体の正面に装着される口金とを備える。口金には、投入口を設けている。
【先行技術文献】
【特許文献】
【０００３】
【特許文献１】実公平４−５１６４２号公報
【発明の概要】
【発明が解決しようとする課題】
【０００４】
前記した従来の郵便受箱では、門柱から正面に露出する口金に、投入口が位置するのみである。そのため、門柱にインターホン機能を備えるためには、門柱の別の箇所にインターホン子機を取り付ける必要がある。この場合、設備全体の大型化を招き、外観上の統一感も低下する。
【０００５】
本発明は、コンパクトで統一感の高い構造でありながら、簡易にインターホン機能を併せ持たせることができる郵便受けを提供することを、目的とする。
【課題を解決するための手段】
【０００６】
本発明に係る形態の郵便受けは、投函口を有する箱型の本体部と、前記本体部に装着される口枠部とを具備する。
【０００７】
前記口枠部は、前記投函口に連通する開口と、前記開口とは異なる箇所に位置するインターホン設置用の設置スペースと、前記設置スペースに収容され、前記本体部に対して着脱自在に固定される台座とを備える。
【０００８】
前記台座は、インターホン子機を装着することのできる装着構造と、前記本体部に対して着脱自在に固定される固定構造とを、互いに反対側の面に備え、前記台座には、庇部が設けられている。
【発明の効果】
【０００９】
本発明は、コンパクトで統一感の高い構造でありながら、簡易にインターホン機能を併せ持たせることができるという効果を奏する。
【図面の簡単な説明】
【００１０】
【図１】一実施形態の郵便受けの口枠部にインターホン子機が装着された状態を示す全体斜視図である。
【図２】一実施形態の郵便受けの口枠部からイーターホン子機と台座が一体に分離された状態を示す分解斜視図である。
【図３】一実施形態の郵便受けの口枠部からイーターホン子機と台座が別々に分離された状態を示す分解斜視図である。
【図４】一実施形態の郵便受けの口枠部にインターホン子機が装着されていない状態を示す全体斜視図である。
【図５】一実施形態の郵便受けの口枠部にインターホン子機が装着されていない状態を示す正面図である。
【図６】図５のＡ−Ａ線断面図である。
【図７】一実施形態の郵便受けの設置例を示す正面図である。
【図８】一実施形態の郵便受けの他の設置例を示す正面図である。
【発明を実施するための形態】
【００１１】
図１〜図６は、一実施形態の郵便受けを示している。
【００１２】
本実施形態の郵便受けは、箱型の本体部１と、本体部１の前面に装着される口枠部２とを具備する。
【００１３】
本願明細書等では、本体部１に対して口枠部２が位置する方向を前方向といい、これの逆方向を後方向という。前後方向および上下方向と直交する方向を、左右方向という。
【００１４】
図中では、前方向を矢印Ｄ１、後方向を矢印Ｄ２、左方向を矢印Ｄ３、右方向を矢印Ｄ４、上方向を矢印Ｄ５、下方向を矢印Ｄ６で示している。
【００１５】
口枠部２には、インターホン子機３が着脱自在に設置される。図４〜図６は、インターホン子機３が設置されていない状態を示す。
【００１６】
本体部１は、前端に位置する前板部１２と、上端に位置する天板部１３と、左右方向の両端に位置する一対の側板部１４，１４と、下端に位置する底板部１５と、後端に位置する背板部１６とを有する（図６参照）。
【００１７】
前板部１２には、前後方向に貫通する投函口１１を設けている（図５、図６等参照）。投函口１１は、本体部１の前面に開口して位置する。投函口１１にはフラップ１２１を開閉自在に設けている。
【００１８】
背板部１６には、開閉扉１６１を設けている。使用者は、開閉扉１６１を開けることで、本体部１内に投函された郵便物を、取り出すことができる。
【００１９】
口枠部２は、本体部１の前面に、ネジ等を用いて固定される。
【００２０】
口枠部２は、上端に位置する上枠２３と、左右方向の両端に位置する一対の側枠２４，２４と、下端に位置する下枠２５とを有する。これら各枠２３，２４，２４，２５が一連につながることで、口枠部２は角筒形状の外形を有する。
【００２１】
本体部１に口枠部２を固定した状態において、口枠部２の上枠２３の上面は、本体部１の天板部１３の上面と面一である。口枠部２の各側枠２４の外側面は、本体部１の側板部１４の外側面と面一であり、口枠部２の下枠２５の下面は、本体部１の底板部１５の下面と面一である。
【００２２】
なお、本願明細書等で用いる面一の文言は、厳密にフラットな意味に限定されず、僅かな段差を有する場合（略面一の場合）を含む。
【００２３】
本体部１に固定された口枠部２は、正面視において、投函口１１の全体を囲んで位置する開口２１を有する（図５参照）。開口２１は、投函口１１と前後方向に連通する。
【００２４】
本実施形態の郵便受けにおいて、口枠部２は、インターホン設置用の台座２２を収容することのできる設置スペースＳ１と、氏名等を表示することのできる表札板２６とを、それぞれ開口２１とは異なる箇所（開口２１よりも下方の箇所）に備える。
【００２５】
設置スペースＳ１と表札板２６は、左右方向に隣接して位置する。表札板２６には、その前面に氏名等を直接的に表示してもよいし、氏名等が記載されたプレートを表札板２６の前面に固定することも可能である。
【００２６】
設置スペースＳ１は、左右方向に距離をあけて位置する一対の側壁２７，２７と、側壁２７，２７の下端同士をつなぐ下壁２８とで、仕切られた空間である。
【００２７】
一対の側壁２７，２７のうち、左右方向の内側に位置する側壁２７は、表札板２６の左右方向の一端から前方に突出する。この側壁２７を介して、表札板２６の位置するスペースと設置スペースＳ１とが、左右に仕切られる。
【００２８】
一対の側壁２７，２７のうち、左右方向の外側に位置する側壁２７は、口枠部２が備える側枠２４のうち下側の一部領域で構成される。同様に、下壁２８は、口枠部２が備える下枠２５のうち左右方向の一部領域で構成される。
【００２９】
設置スペースＳ１は、前方、後方および上方に開口するように、口枠部２に形成される（図２、図３等参照）。設置スペースＳ１の前方の開口を通じて、台座２２およびインターホン子機３が着脱され、後方の開口を通じて、本体部１の前面の一部が露出する。設置スペースＳ１の上方の開口は、台座２２を取り付けたときに後述の庇部２２５によって塞がれる。
【００３０】
台座２２は、インターホン子機３を着脱自在に装着することのできる装着構造２２１を、前面に有する（図３〜図６等参照）。装着構造２２１としては、インターホン子機３を台座２２に引っ掛けて止める構造、インターホン子機３を台座２２にネジ固定する構造等の、適宜の構造が採用可能である。
【００３１】
台座２２は、装着構造２２１の上方に、前方に向けて突出する平板状の庇部２２５を備える。装着構造２２１にインターホン子機３を装着した状態において、庇部２２５はインターホン子機３全体の上方を覆って位置する。
【００３２】
さらに台座２２は、本体部１の前面に対して着脱自在に固定される固定構造２２２を、後面に有する。つまり固定構造２２２は、台座２２のうち装着構造２２１が形成される面とは、反対側の面に設けられる。
【００３３】
固定構造２２２としては、台座２２を本体部１の前面に引っ掛けて止める構造、台座２２を本体部１の前面にネジ固定する構造等の、適宜の構造が採用可能である。
【００３４】
台座２２を介して本体部１にインターホン子機３が固定された状態において、インターホン子機３の前面は、本体部１に装着された口枠部２の前端部（つまり各枠２３，２４，２４，２５の前端部）と、面一に位置する。
【００３５】
さらに、口枠部２には、照明ユニット４を設置するための照明スペースＳ２を、開口２１よりも上方に形成している（図６参照）。上下方向において、設置スペースＳ１と照明スペースＳ２は、開口２１を挟んで互いに反対側に位置する。
【００３６】
照明ユニット４は、下方に向けて光を出射する足元灯であり、光源である発光ダイオードと、該発光ダイオードの発する光を入射させた後に外部に向けて出射する棒状の導光体４１とを備える。導光体４１は、左右方向に長い透光性の棒状部材であり、導光体４１の下方を向く面が、下方に向けて光を出射する出射面４１１である。
【００３７】
本実施形態のインターホン子機３はカメラ付きであり、前面に備えた広角レンズ３１によって前方を撮影する撮像機能を備える。インターホン子機３が設置される設置スペースＳ１と、照明ユニット４が設置される照明スペースＳ２との間には、庇部２２５が位置する。そのため、照明ユニット４から下方に向けて出射される光が撮像機能に影響を及ぼすこと（映像に白飛び等が生じること）は、抑制される。
【００３８】
本実施形態の郵便受けは、カメラ付きのインターホン子機３や照明ユニット４を、上記の如く口枠部２に組み込んだ構造であるから、インターホン機能、撮像機能および足元灯の機能を、コンパクトに併せ持つことが可能となっている。
【００３９】
インターホン子機３を口枠部２に組み込む際には、まずインターホン子機３を台座２２に装着し、一体化された台座２２とインターホン子機３のブロックごと（図２参照）、本体部１に固定すればよく、作業も簡易である。台座２２を本体部１に固定する際には、台座２２を設置スペースＳ１にセットし、開閉扉１６１を開けて本体部１内に手を入れ、本体部１の内側からの作業で、台座２２を本体部１にネジ固定する。
【００４０】
インターホン子機３を口枠部２から取り外す際には、開閉扉１６１を開けて本体部１内に手を入れ、本体部１の内側からの作業で、台座２２と本体部１のネジ固定を解除する。台座２２ごとインターホン子機３を取り外した後に、台座２２からインターホン子機３を取り外す。
【００４１】
したがって、本実施形態の郵便受けにおいては、インターホン子機３を組み付ける作業が容易であることに加えて、インターホン子機３をいったん取り外して修理する作業や、インターホン子機３を交換する作業が容易である。
【００４２】
さらに、装着構造２２１が互いに異なる複数種類の台座２２を用意し、取り付けたいインターホン子機３に適合した装着構造２２１を有する台座２２を選択することで、複数種類のインターホン子機３を共通の口枠部２に組み込むことが可能である。
【００４３】
図７には、本実施形態の郵便受けが、門柱５１に埋め込まれた状態を示している。門柱５１は、建物の外構５を構成する。この状態において、門柱５１の前面に口枠部２が露出し、門柱５１の後面に本体部１の背板部１６が露出する。
【００４４】
図８には、本実施形態の郵便受けが、ポール６上に設置された状態を示している。上下方向に長いポール６の上端に本体部１が支持され、ポール６の下端は地面７に埋め込まれている。
【００４５】
以上、添付図面に基づいて説明したように、本実施形態の郵便受けは、下記の構成を具備する。
【００４６】
つまり、本実施形態の郵便受けは、投函口１１を有する箱型の本体部１と、本体部１に装着される口枠部２とを具備する。口枠部２は、投函口１１に連通する開口２１と、開口２１とは異なる箇所に位置するインターホン設置用の設置スペースＳ１と、設置スペースＳ１に収容され、本体部１に対して着脱自在に固定される台座２２とを備える。台座２２は、インターホン子機３を装着することのできる装着構造２２１と、本体部１に対して着脱自在に固定される固定構造２２２とを、互いに反対側の面に備える。
【００４７】
そのため、本実施形態の郵便受けによれば、台座２２を介して本体部１にインターホン子機３を固定することで、口枠部２にインターホン機能を併せ持たせることができる。本実施形態の郵便受けは、口枠部２の設置スペースＳ１にインターホン子機３が位置するコンパクトな構造であることから、設備全体の大型化が抑えられることに加えて、外観上の統一感も高い。インターホン子機３の取り付けは、台座２２を介して簡易に行うことができ、さらに台座２２を複数種用意すれば、多様な種類のインターホン子機３にも対応可能である。
【００４８】
また、本実施形態の郵便受けは、下記の構成を付加的に具備する。つまり、本実施形態の郵便受けにおいては、台座２２を介して本体部１に固定されるインターホン子機３の前面が、本体部１に装着された口枠部２の前端部と、面一に位置するように構成されている。
【００４９】
そのため、本実施形態の郵便受けによれば、インターホン機能を併せ持つ口枠部２を、よりコンパクトに形成することができ、外観上の統一感も一層高められる。
【００５０】
また、本実施形態の郵便受けは、下記の構成を付加的に具備する。つまり、本実施形態の郵便受けにおいて、台座２２を介して本体部１に固定されるインターホン子機３は、撮像機能を備える。
【００５１】
そのため、本実施形態の郵便受けによれば、撮像機能をさらに併せ持つ口枠部２を、コンパクトに形成することができる。
【００５２】
また、本実施形態の郵便受けは、下記の構成を付加的に具備する。つまり、本実施形態の郵便受けの口枠部２は、開口２１および設置スペースＳ１とは異なる箇所に位置する照明スペースＳ２と、照明スペースＳ２に設置される照明ユニット４と、照明スペースＳ２と設置スペースＳ１の間に設置される庇部２２５とを、さらに備える。
【００５３】
そのため、本実施形態の郵便受けによれば、照明機能をさらに併せ持つ口枠部２を、コンパクトに形成することができ、庇部２２５が介在することで、照明の光が撮像機能に影響を及ぼすことが抑えられる。
【００５４】
以上、実施形態について説明したが、郵便受けは前記した実施形態に限定されず、適宜の設計変更を行うことが可能である。
【符号の説明】
【００５５】
１      本体部
１１    投函口
２      口枠部
２１    開口
２２    台座
２２１  装着構造
２２２  固定構造
２２５  庇部
３      インターホン子機
４      照明ユニット
Ｓ１    設置スペース
Ｓ２    照明スペース
【図１】
0006558681.tif 000002
【図２】
0006558681.tif 000003
【図３】
0006558681.tif 000004
【図４】
0006558681.tif 000005
【図５】
0006558681.tif 000006
【図６】
0006558681.tif 000007
【図７】
0006558681.tif 000008
【図８】
0006558681.tif 000009